(57)【特許請求の範囲】
【請求項１】
時間領域の相互相関に基づくセンシングを用いてＤＶＢ−Ｔ通信の存在を検出する方法において、
前記時間領域の相互相関に基づくセンシングの前に、ＤＶＢ−Ｔ通信のすべてのシンボルにおいて固定されたサブキャリア位置で送信されるブーストされた連続的パイロットを用いた周波数オフセット推定に基づいて搬送波周波数オフセット修正が実行され、
当該方法は、
選択されたチャネルにおけるＲＦ信号を受信するステップと、
前記受信されるＲＦ信号からサンプルを作るステップと、
前記サンプルの周波数オフセットを推定するステップと、
前記推定された周波数オフセットを用いて前記サンプルを修正するステップと、
前記修正されたサンプルと検出されるべき前記ＤＶＢ−Ｔ通信に関連する基準信号とを相関させるステップと、
前記の相関の出力と閾値とを比較するステップとを有する、方法。
【請求項２】
前記サンプルの周波数オフセットを推定するステップが、
すべてのシンボルにおいて固定されたサブキャリア位置で送信されるブーストされた連続的パイロットである３つ又はこれ以上のパイロットのセットを選択するステップと、
周波数領域へと前記受信されるサンプルを変換するステップと、
前記変換されたサンプルにおける最大のピークの位置を決定するステップであって、前記最大のピークが、前記セットにおける前記パイロットに対応する、ステップと、
前記セットにおける予想されるパイロット位置と前記決定された位置とを比較するステップとを有する、請求項１に記載の方法。
【請求項３】
前記サンプルの周波数オフセットを推定するステップが、
名目周波数オフセット分前記信号をダウンシフトするステップと、
前記セットにおける前記パイロットの周波数スパン周りの帯域幅へと前記ダウンシフトされた信号をフィルタリングするステップと、
前記フィルタリングされた信号をダウンサンプリングするステップとを有する、請求項２に記載の方法。
【請求項４】
前記変換されたサンプルにおける最大のピークの位置を決定するステップが、サンプルの複数のブロックにわたる平均から前記最大のピークを特定するステップを有する、請求項２に記載の方法。
【請求項５】
推定結果を３つまたこれ以上のパイロットの別のセットと組み合わせるステップを更に有する、請求項２に記載の方法。
【請求項６】
前記基準信号が、パイロットから生成され、メモリに格納される、請求項１に記載の方法。
【請求項７】
時間領域の相互相関に基づくセンシングを用いてＤＶＢ−Ｔ通信の存在を検出するシステムであって、
前記時間領域の相互相関に基づくセンシングの前に、ＤＶＢ−Ｔ通信のすべてのシンボルにおいて固定されたサブキャリア位置で送信されるブーストされた連続的パイロットを用いた周波数オフセット推定に基づいて搬送波周波数オフセット修正が実行され、
当該システムは、
ＲＦ信号を受信するＲＦフロントエンドモジュールと、
前記受信されるＲＦ信号からサンプルを作成するサンプリングモジュールと、
前記サンプルの周波数オフセットを推定する周波数オフセット推定器と、
前記サンプルの周波数を修正する周波数オフセット修正モジュールと、
前記修正されたサンプルと検出されるべき前記ＤＶＢ−Ｔ通信に関連する基準信号とを相関させる相関器と、
前記の相関の出力と閾値とを比較する閾値検出モジュールとを有する、システム。
【請求項８】
前記周波数オフセット推定器が、
３つ又はこれ以上のパイロットのセットを選択し、
周波数領域へと前記受信されたサンプルを変換し、
前記変換されたサンプルにおける最大のピークの位置であって、前記セットにおけるパイロットに対応する最大のピークの位置を決定し、及び
前記セットにおける予想されるパイロット位置と前記決定された位置とを比較するよう構成される、請求項７に記載のシステム。
【請求項９】
前記サンプリングモジュールが、
名目周波数オフセット分前記信号をダウンシフトし、
前記セットにおける前記パイロットの周波数スパン周りの帯域幅へと前記ダウンシフトされた信号をフィルタリングし、
前記フィルタリングされた信号をダウンサンプリングするよう更に構成される、請求項８に記載のシステム。
【請求項１０】
サンプルの複数のブロックにわたり、又は、パイロットの複数のセットにわたり結果を平均化する累算及び平均化モジュールを更に有する、請求項８に記載のシステム。
【請求項１１】
パイロットから生成される基準信号を格納するメモリモジュールを更に有する、請求項７に記載のシステム。
【発明の詳細な説明】
【技術分野】
【０００１】
本出願は、２００９年５月１４日に出願された米国仮出願番号第６１／１７８，２５７号による利益を請求する。
【０００２】
本発明は一般に、コグニティブ無線（ＣＲ）ネットワークにおけるデバイスに関し、より詳細には、デジタルビデオ放送（ＤＶＢ）通信を検出する方法及びシステムに関する。
【背景技術】
【０００３】
いくつかの規制機関により採用される新規スペクトル方針は、許可された処理に対して指定される周波数帯において、許可されていない第２のデバイスの処理を想定する。その周波数帯域が空であるか又は第１のデバイスにより使用されていないときのみ、第２のデバイスは作動することができる。これは、第２のデバイスが第１のデバイスにもたらす干渉の量を最小化するため、第１のデバイスが通信を始めるとき、第２のデバイスが帯域を空にしなければならないことを意味する。第２のデバイスは、環境を検出して、それに従って適合することができるため、コグニティブ無線（ＣＲ）とも呼ばれる。
【０００４】
テレビ放送の許可された処理のため割り当てられたＵＨＦ（極超短波）帯域は、ＣＲデバイスの処理を可能にする理想的な候補である。米国では、近隣の市場及び／又は通信からの放送に対する又はこの放送からの干渉を回避するため、任意の所与の地理的な位置において、いくつかのＴＶ帯域だけが使用されることができる。その結果、残りのＴＶ帯域は、大部分が未使用であり、従って他の目的（例えば家庭内ネットワーク等）に利用されることができる。他の規制領域も、ＴＶチャンネルと同様な割り当てが存在する。
【発明の概要】
【発明が解決しようとする課題】
【０００５】
デジタルテレビ（ＤＴＶ）受信への有害な干渉を回避するため、ＣＲデバイスが特定のチャネルを使用することができる前に、ＣＲデバイスは、プライマリ通信のためこのチャネルを検出しなければならない。規制機関は、−１１４ｄＢｍといった低い信号強度でＤＴＶ信号を信頼性高く検出することを定めた。この要件は、ＣＲデバイスが、ＤＴＶ信号の存在を検出するため、堅牢な検出アルゴリズムを実現することを必要とする。ＤＶＢ−Ｔ／Ｈ（デジタルビデオ放送‐テレストリアル／ハンドヘルド）信号の堅牢な検出のための検出アルゴリズムが最近提案された。時間領域の相互相関ベースの検出アルゴリズムは、完全な搬送波同期を想定する様々なチャネル条件の下で、ＤＶＢ−Ｔ及びＤＶＢ−Ｈ通信の信頼性が高い検出を提供する。しかしながら、アルゴリズムの性能は、搬送波周波数オフセットがある場合明らかに低下する。
【課題を解決するための手段】
【０００６】
本発明は、異なるチャネル及び動作条件下での堅牢な検出を可能にするため、周波数オフセットを推定及び修正するアルゴリズムを提供する。提案された方法は、異なる通信モードを用いるよう構成されることができる。
【０００７】
本発明の１つの例示的な実施形態において、周波数オフセットを用いてＤＶＢ通信の存在を検出する方法が提供される。この方法は、選択されたチャネルにおけるＲＦ（無線周波数）信号を受信するステップと、上記受信されるＲＦ信号からサンプルを作るステップと、上記サンプルの周波数オフセットを推定するステップと、上記推定された周波数オフセットを用いて上記サンプルを修正するステップと、上記修正されたサンプルと基準信号とを相関させるステップと、相関結果と閾値とを比較するステップとを含む。周波数オフセット推定は、すべてのシンボルにおいて固定されたサブキャリア位置で送信されるブーストされた連続的パイロットである３つ又はこれ以上のパイロットのセットを選択するステップと、上記周波数領域へと上記受信されたサンプルを変換するステップと、上記変換されたサンプルにおける最大の位置を決定するステップであって、上記最大が、上記セットにおける上記パイロットに対応する、ステップと、上記セットにおいて予想されるパイロット位置と上記決定された位置とを比較するステップとを含む。
【０００８】
本発明の別の例示的な実施形態において、ＤＶＢ通信の存在を検出するシステムが与えられる。このシステムは、ＲＦ信号を受信するＲＦフロントエンドモジュールと、上記受信されるＲＦ信号からサンプルを作成するサンプリングモジュールと、上記サンプルの周波数オフセットを推定する周波数オフセット推定器と、上記サンプルの周波数を修正する周波数オフセット修正モジュールと、上記修正されたサンプルと基準信号とを相関させる相関器と、相関結果と閾値とを比較する閾値検出モジュールとを含む。このシステムは、サンプルの複数のブロックにわたり、又は、パイロットの複数のセットにわたり結果を平均化する累算及び平均化モジュールと、上記受信されたＲＦ信号からのサンプルを格納するメモリモジュールとを更に含むことができる。
【０００９】
本発明の別の例示的な実施形態は、ＤＶＢ通信の存在を検出する方法を提供する。この方法は、選択されたチャネルにおけるＲＦ信号を受信するステップと、上記受信されたＲＦ信号からサンプルを作るステップと、すべてのシンボルにおいて固定されたサブキャリア位置で送信されるブーストされた連続的パイロットである３つまたこれ以上のパイロットのセットを選択するステップと、上記周波数領域へと上記サンプルを変換するステップと、上記変換されたサンプルにおける最大の位置を特定するステップと、上記特定された最大が上記セットにおける上記パイロットに対応するかを決定するステップとを含む。
【図面の簡単な説明】
【００１０】
【図１】周期的プリフィックス（ＣＰ）を持つＯＦＤＭシンボルを示す図である。
【図２】ＤＶＢ−ＴのＯＦＤＭシンボルにおける散乱されたパイロットサブキャリアの位置を示す図である。
【図３】周波数オフセットありの場合及びなしの場合の、ＳＮＲが−５ｄＢで、２Ｋ、１／３２モードに対するパイロットでの相互相関（データスムージングなし）を示す図である。
【図４】２Ｋ、１／３２モード、ＳＮＲ＝−１０ｄＢ及びＮＦＦＯ＝２Ｋの周波数オフセットあり及びなしの３つの連続的なパイロット位置を示すＰ（ｋ）のプロットを示す図である。
【図５】周波数オフセット推定器のブロックダイアグラムを示す図である。
【図６】周波数オフセット推定及び修正なし（上部）及びあり（下部）の場合の、ＳＮＲが−５ｄＢで、ＡＷＧＮチャネルにおける周波数オフセットがある場合の相互相関器出力を示す図である。
【図７】６０ｍｓ及び１００ｍｓの検出時間を持つ２．１ｋＨｚの周波数オフセットがある場合の、ＡＷＧＮチャネルにおけるＤＶＢ−Ｔ検出アルゴリズムの性能を示す図である。
【図８】周波数オフセット推定及び修正を含むＤＶＢ−Ｔセンサのブロックダイアグラムを示す図である。
【図９】ＤＶＢ信号の存在を検出する方法を示す図である。
【図１０】周波数オフセットを推定する方法を示す図である。
【発明を実施するための形態】
【００１１】
本発明の主題は、明細書の結論として請求項において特に指摘され、明示的に請求される。本発明の前述の及び他の特徴及び利点は、添付の図面と共に考慮される以下の詳細な説明から明らかとなるであろう。
【００１２】
本発明により開示される実施形態は、本書における革新的な教示の多くの有利な使用の例にすぎない点を理解されたい。一般に、本願の明細書においてされる説明は、請求項に記載の様々な発明のいずれかを限定するものではない。更に、いくつかの記載は、本発明のいくつかの特徴には当てはまるが、他の特徴には当てはまらない場合がある。一般に、特に明記しない限り、一般性を失うことなく、単一の要素は、複数とすることができる。逆もまた真である。図において、類似する数字は、複数の表示を介して同様な部分を参照する。
【００１３】
ＤＶＢ−Ｔ通信仕様の簡単な概要
地上デジタルビデオ放送（ＤＶＢ−Ｔ）は、デジタルテレビの地上波放送に関するヨーロッパ電気通信標準化機構（ＥＴＳＩ）により標準化された。ＤＶＢ−Ｔ標準は、直交周波数分割多重（ＯＦＤＭ）変調スキームを使用し、放送事業者の要件に基づき、符号化及び変調パラメータを適合させるためのオプションを提供する。ＤＶＢ−Ｔ仕様は、２つのモードの処理を提供する。即ち、'２Ｋモード'及び'８Ｋモード'である。更に、ＤＶＢ−Ｈ拡張は、'に４Ｋモード'を提供する。このモードは、送信信号を生成するために用いられるＦＦＴ（高速フーリエ変換）サイズに基づき定められる。これらのモードの各々に関するパラメータのいくつかが、表１に記載される。
【表１】
0005925118.tif 000002
【００１４】
ＤＶＢ−Ｔ伝送信号は、フレームにおいて構成される。各フレームは６８のＯＦＤＭシンボルからなり、斯かる４つのフレームが、スーパーフレームを構成する。図１に示されるように、ＯＦＤＭシンボルは、２つの部分から成る。それは、有益なシンボル期間１０２及びガード間隔１０１である。有益なシンボルの一部は、ガード間隔１０１（周期的プリフィックス（ＣＰ）と呼ばれる）において送信される。この特徴は、シンボル間の干渉を最小化するために用いられる。ＤＶＢ−Ｔ仕様は、ガード間隔のためのシンボル期間として１／４、１／８、１／１６又は１／３２の選択を提供する。
【００１５】
ＣＰに加えて、ＤＶＢ−Ｔ標準は、信号の同期、復調及びデコードにおける支援のため、以下の基準信号を出力する。
【００１６】
●連続的なパイロット−これらの基準信号は、固定されたサブキャリア位置に配置され、それらの位置は、シンボル毎に異なるものではない。'２Ｋモード'において４５の連続的なパイロットがあり、'８Ｋモード'において１７７の連続的なパイロットがある。
【００１７】
●散乱されたパイロット−これらの基準信号は、ＯＦＤＭシンボルにおいて均一に分散される（１２のサブキャリア毎）。これらのパイロットの位置は、各ＯＦＤＭシンボル上で３つのサブキャリアによりオフセットされる。その結果、図２に図示されるように、パイロットパターンはフレームにおいて４つのＯＦＤＭシンボル毎に繰り返される。散乱されたパイロットは、チャネルが準静的であると仮定して、チャネル推定を得るために用いられる。
【００１８】
●ＴＰＳパイロット−これらの通信パラメータシグナリング（ＴＰＳ）基準信号は、通信パラメータを運ぶために用いられる。'２Ｋモード'に対する１７のサブキャリア及び'８Ｋモード'に対する６８のサブキャリアの固定されたセットが、ＴＰＳパイロットサブキャリアとして指定された。ＯＦＤＭシンボルにおけるすべてのＴＰＳパイロットサブキャリアは、同じ情報を搬送する。
【００１９】
連続的なパイロット及び散乱されたパイロットは、サブキャリアの残りと比較して、より高い出力レベル（〜２．５ｄＢ）で送信される。
【００２０】
周波数オフセット推定及び検出
図３は、ＳＮＲが−５ｄＢで２Ｋ、１／３２モードのＤＶＢ−Ｔ信号に対する周波数オフセット３０２ありの場合と、周波数オフセット３０１なしの場合とでの、相互相関器ベースの検出器の性能を比較する。図３から、周波数オフセットがある場合には、相互相関ベースの検出器の性能が明らかに損なわれることが観測されることができる。
【００２１】
相互相関の代わりに自己相関を使用することは、性能損失を最小化することになる。しかし、この方法は、低いＳＮＲ（信号対ノイズ比）に関してあまりうまく機能しない。周波数オフセットを推定し、相互相関の前にそれを修正することは、性能損失を最小化しつつ、低いＳＮＲに対しても堅牢に性能を発揮する。
【００２２】
本発明の特定の実施形態は、低いＳＮＲ値に対してさえかなりうまく機能する周波数オフセット推定器を提供する。この推定器は、ＤＶＢ−Ｔ信号がすべてのシンボルにおける固定されたサブキャリア位置で送信されるブーストされた連続的なパイロットを含むという事実を利用する。
【００２３】
１つの例示的な実施形態において、周波数において密接に間隔を置かれる３つ（又はこれ以上）の連続的なパイロットのセットが特定される。例えば、２Ｋモードの場合、これらのセットは、｛１１０１、１１０７、１１１０｝、｛１１３７、１１４０、１１４６｝とすることができる。これらのサブキャリアのスパンは一般的に、約５０ｋＨｚである。中心周波数
0005925118.tif 000003
は、サブキャリア位置の平均を取り、サブキャリア間隔でそれを増倍することにより決定されることができる。中心周波数
0005925118.tif 000004
は、
0005925118.tif 000005
及び
0005925118.tif 000006
の間の値を取ることができる。ここで、ｆＢＷはチャネル帯域幅を表す。無線通信において、中間周波数（ＩＦ）は一般に、送信又は受信における中間ステップとして搬送波周波数がシフトさせられる周波数と呼ばれる。
【００２４】
以下は、オフセット推定手順の説明的な、しかし、限定的ではない例である。
【００２５】
ＩＦ信号がｆＩＦに位置し、サンプリングレートがｆｓであるとすると、推定ステップは以下の通りである。
【００２６】
（１）ｆｃの名目周波数オフセット分ＤＣへと信号をダウンシフトする。ここで、
0005925118.tif 000007
が成り立つ。従って、ｘ（ｔ）が、低ＩＦでの実部の帯域通過信号である場合、
0005925118.tif 000008
は、虚部のダウンシフトされた信号である。
【００２７】
（２）ダウンシフトされた信号ｙ（ｔ）を例えば５０ｋＨｚの帯域幅の虚部の低域フィルタでフィルタリングする。
【００２８】
（３）信号ｚ（ｔ）を形成するため、ｆｓから５０ｋＨｚへとフィルタリングされた信号をダウンサンプリングする。
【００２９】
（４）Ｚｎ（ｋ）を形成するため、ダウンサンプリングされた信号ｚ（ｔ）のＮＦＦＯ（例えば２０４８）ポイントＦＦＴを取る。これは、５０ｘ１０３／ＮＦＦＯのビン間隔を生じさせる。
【００３０】
（５）推定の信頼性を改善するため、複数のＦＦＴブロックにわたりＦＦＴ出力二乗を平均化する。
0005925118.tif 000009
となる。ここで、ｋは１からＮＦＦＯである。パラメータＮは、検出時間により決定される。ＦＦＴサイズ及びブロックの数は、ユーザにより規定されることができ、検出時間に依存する。図４は、ＳＮＲが−１０ｄＢ、ＮＦＦＯ＝２Ｋ、及びＮ＝８を用いて、周波数オフセットあり４０１及びなし４０２のＰ（ｋ）のプロットを示す。
【００３１】
（６）Ｐ（ｋ）における３つの最大のピーク（連続的なパイロットの数に対応する）の位置を決定し、予想される連続的なパイロット位置値とそれを比較する。この測定基準（ビン間隔により増倍される）における違いは、周波数オフセットの推定を与えることになる。
【００３２】
３つ（又はこれ以上）のパイロットサブキャリアを使用することは、マルチパス障害がある場合であっても、良好な評価が得られることができることを確実にする。更に、上記の方法は、連続的なパイロットの別のセットに関して繰り返されることができ、周波数オフセット推定は、結合された測定基準から得られることができる。
【００３３】
すると、この推定は受信信号に適用され、処理は、データスムージング及び相互相関へと続く。
【００３４】
別の例示的な実施形態において、上記のサンプリング技術及びデータ変換及び処理を用いて、例えば図４に示されるようなＤＶＢ通信におけるパイロットの基準信号に対応するこれらのピークの存在から、プライマリ通信の存在が推定されることができる。処理モジュールにおいて、最大振幅から、又は算出及び予想される位置の間の相対差から、又はこれらの２つの組合せから得られる測定基準が、インカムベント信号の存在を検出するために使用される。
【００３５】
図５は、周波数オフセット推定器の簡略化されたブロック図を示す。この推定器は、ＲＦ入力を受信するＲＦフロントエンドモジュール５０１と、受信したＲＦ信号をデジタル信号に変換するアナログデジタル変換器（ＡＤＣ）５０２と、名目周波数オフセット分ＤＣへと信号をダウンシフトするＤＣへのシフトモジュール５０３と、好適な帯域幅へと信号をフィルタリングするため、無限インパルス応答（ＩＩＲ）を備える低域フィルタ（ＬＰＦ）５０４と、好適な帯域幅へとフィルタリングされた信号をダウンサンプリングするサンプラ５０５と、信号を変換するＦＦＴモジュール５０６と、検出時間にわたり複数のＦＦＴブロックに対してＦＦＴ出力を平均化する累算及び平均化モジュール５０７と、基準位置からの周波数差を算出する算出モジュール５０８とを含む。
【００３６】
提案された方法は、
0005925118.tif 000010
を決定するため、適切な連続的なパイロットセットを特定して、適切なサブキャリア間隔を使用することにより、８Ｋの通信モードへと拡張されることができる。
【００３７】
図６は、ＡＷＧＮチャネルにおける−５ｄＢのＳＮＲに対して、周波数オフセットがある場合の相互相関器（データスムージングあり）の出力を、周波数オフセット推定及び修正ありの場合６０２と、周波数オフセット推定及び修正なしの場合６０１とで比較する。周波数オフセット推定器の性能は、平均化されるブロックの数を増加させることにより、更に改善されることができる（増加された検出時間を生じさせる）。２つの異なる検出時間に対する２．１ｋＨｚの周波数オフセットを用いて、ＡＷＧＮチャネルにおける提案されたＤＶＢ−Ｔセンサの性能が、図７に示される。プロット７０１及び７０２から、１００ｍｓの検出時間を使用することが、６０ｍの検出時間より良好な性能を提供することが分かる。以下のシミュレーションパラメータが使用された。
【００３８】
●  通信モード−２Ｋ、１／３２。
【００３９】
●  各ＳＮＲに対する実行数−１０００。
【００４０】
●  スムージング係数Ｌ−８（〜６０ｍｓの検出時間）。
【００４１】
●  誤警報の確率（ＰＦＡ）−＜０．０１。
【００４２】
●  チャネル：ＡＷＧＮ。
【００４３】
ＤＶＢ−Ｔ信号を堅牢に検出するシステム
図８は、例示的な実施形態における完全なＤＶＢ−Ｔセンサのブロック図を示す。それは、ＲＦフロントエンド８０１、ＡＤＣモジュール８０２、周波数オフセット推定に関するモジュール８０４（図５に示される）及び修正モジュール８０３を含む。修正された出力は、バッファ８０５に格納される。累算／平均化モジュール８０６及び相関器８０８は、データスムージング後の相互相関を実現する。メモリ８０７に入力される信号'ｓｅｑＩＤ'は、相関に関して使用される基準シーケンスを決定する。相関器８０８の出力は、閾値検出モジュール８０９により閾値と比較される。検出器が検出時間に関して制約される場合、周波数オフセット推定／修正及び相互相関は、ＡＤＣモジュール８０２後データを格納するためメモリモジュール８０７を使用することにより、データサンプルの同一セットに関して実行されることができる。
【００４４】
図９は、例示的な実施形態によるＤＶＢの存在を検出する方法を示す。この方法は、選択されたチャネルにおけるＲＦ（無線周波数）信号を受信するステップ９０１と、受信したＲＦ信号からサンプルを作成するステップ９０２と、サンプルの周波数オフセットを推定するステップ９０３と、推定された周波数オフセットを用いてサンプルを修正するステップ９０４と、修正されたサンプルと基準信号とを相関させるステップ９０５と、相関結果と閾値とを比較するステップ９０６とを含む。比較の結果に基づき、ＤＶＢの存在が決定されることができる。図１０は、周波数オフセット推定の詳細を示す。この推定は、すべてのシンボルにおいて固定されたサブキャリア位置で送信されるブーストされた連続的なパイロットである３つ又はこれ以上のパイロットのセットを選択するステップ１００１と、周波数領域へと受信されたサンプルを変換するステップ１００２と、変換されたサンプルにおける最大の位置を決定するステップであって、この最大が、セットにおけるパイロットに対応する、ステップ１００３と、セットにおいて予想されるパイロット位置と決定された位置とを比較するステップ１００４とを含む。
【００４５】
この開示において表される技術は、所定のパイロットパターンを含むＤＶＢ−Ｔ／Ｈ信号の検出又は他のＯＦＤＭ信号の検出に関する、検出回避（detect-and-avoid）技術に依存するコグニティブ無線及び他のシステムにおいて使用されることができる。
【００４６】
前述の詳細な記載は、本発明が取ることができる多くの形式のうちの２、３について説明したものである。前述の詳細な記載は、本発明が取ることができる形式のうち選択されたものを説明するものであり、本発明の規定を限定するものとして理解されるものではない点に留意されたい。本発明の範囲を定めるのは、請求項のみであり、この請求項は、すべての均等の範囲を含む。
【００４７】
最も好ましくは、本発明の原理は、ハードウェア、ファームウェア及びソフトウェアの任意の組合せとして実現される。更に、ソフトウェアは好ましくは、特定のデバイス及び／又はデバイスの組み合わせ又はこれらの一部からなるプログラムストレージユニット又はコンピュータ可読ストレージ媒体において明らかに実現されるアプリケーションプログラムとして実現される。アプリケーションプログラムは、任意の適切なアーキテクチャを有するマシンに対してアップロードされることができ、このマシンにより実行されることができる。好ましくは、このマシンは、例えば１つ又は複数の中央処理ユニット（「ＣＰＵ」）、メモリ及び入力／出力インタフェースといったハードウェアを持つコンピュータプラットフォーム上で実現される。コンピュータプラットフォームは、オペレーティングシステム及びマイクロ命令コードを含むこともできる。斯かるコンピュータ又はプロセッサが明示されていなくても、本書に説明される様々な処理及び機能は、ＣＰＵにより実行されることができるマイクロ命令コードの部分又はアプリケーションプログラムの部分又はこれらの任意の組み合わせとすることができる。更に、例えば追加的なデータストレージユニット及び印刷ユニットといった様々な他の周辺機器が、このコンピュータプラットフォームに接続されることができる。
【図１】
0005925118.tif 000011
【図２】
0005925118.tif 000012
【図３】
0005925118.tif 000013
【図４】
0005925118.tif 000014
【図５】
0005925118.tif 000015
【図６】
0005925118.tif 000016
【図７】
0005925118.tif 000017
【図８】
0005925118.tif 000018
【図９】
0005925118.tif 000019
【図１０】
0005925118.tif 000020